(57)【特許請求の範囲】
【請求項１】
電気通信網に接続されたサーバ上の情報コンテンツをユーザの端末から受信した電子メールを用いて更新する情報コンテンツ更新システムにおけるサーバであって、
前記ユーザの端末に対して、前記情報コンテンツに対応する電子メールの送信先アドレスを用いて電子メールを送信する電子メール送信手段と、
前記ユーザの端末から、電子メールを受信する電子メール受信手段と、
前記ユーザの端末から受信した電子メールを用いて、前記情報コンテンツを再構成する情報コンテンツ再構成手段と
を備え、
前記情報コンテンツ再構成手段は、前記受信した電子メールの宛先が前記情報コンテンツに対応する送信先アドレスであり、該受信した電子メールの送信先アドレスに日付又は時間の情報が含まれているとき、該受信した電子メールの送信先アドレス及び該受信した電子メールに記述された内容を用いて、該送信先アドレスに対応する情報コンテンツ内の該日付又は該時間に対応する情報を更新する
ことを特徴とするサーバ。
【請求項２】
請求項１に記載のサーバにおいて、
情報コンテンツの更新状況を監視し、一定期間に更新されていない情報コンテンツを見出す情報コンテンツ監視手段をさらに備え、
前記電子メール送信手段は、前記一定期間に更新されていない情報コンテンツのユーザの端末に対して、電子メールを送信する
ことを特徴とするサーバ。
【請求項３】
請求項１又は２に記載のサーバにおいて、
前記情報コンテンツは、ウェブ・ページであり、
前記情報コンテンツ再構成手段は、前記受信した電子メールを用いて、前記送信先アドレスに対応するウェブ・ページを更新する
ことを特徴とするサーバ。
【請求項４】
請求項１〜３のいずれかに記載のサーバにおいて、
前記電子メール送信手段は、前記ユーザの端末に対して電子メールを送信するごとに、送信先アドレスを変更して生成する
ことを特徴とするサーバ。
【請求項５】
請求項１〜４のいずれかに記載のサーバにおいて、
前記情報コンテンツ再構成手段は、前記受信した電子メールの宛先が前記情報コンテンツ内の情報を削除するための電子メールの送信先アドレスであるとき、該受信した電子メールの送信先アドレスに日付又は時間の情報が含まれていれば、該送信先アドレスに対応する情報コンテンツ内の該日付又は該時間に対応する情報を削除し、該受信した電子メールの送信先アドレスに日付又は時間の情報が含まれていなければ、該送信先アドレスに対応する情報コンテンツ内の直前に更新した情報を削除する
ことを特徴とするサーバ。
【請求項６】
電気通信網に接続されたサーバ上の情報コンテンツをユーザの端末から受信した電子メールを用いて更新する情報コンテンツ更新システムにおけるサーバであって、
前記ユーザの端末に対して、前記ユーザに対応する電子メールの送信先アドレスを用いて電子メールを送信する電子メール送信手段と、
前記ユーザの端末から、電子メールを受信する電子メール受信手段と、
前記ユーザの端末から受信した電子メールを用いて、前記情報コンテンツを再構成する情報コンテンツ再構成手段と
を備え、
前記情報コンテンツ再構成手段は、前記受信した電子メールの宛先が前記ユーザに対応する送信先アドレスであり、該受信した電子メールの送信先アドレスに日付又は時間の情報が含まれているとき、該受信した電子メールの送信先アドレス及び該受信した電子メールに記述された内容を用いて、該送信先アドレスに対応するユーザの情報コンテンツ内の該日付又は該時間に対応する情報を更新する
ことを特徴とするサーバ。
【請求項７】
請求項６に記載のサーバにおいて、
前記受信した電子メールの送信先アドレスと送信者のアドレスを照合することで、ユーザの特定を行うユーザ特定手段をさらに備え、
前記情報コンテンツ再構成手段は、前記受信した電子メールを送信したユーザが特定できないとき、該受信した電子メールの送信先アドレスに対応するユーザの情報コンテンツを更新しない
ことを特徴とするサーバ。
【請求項８】
請求項６又は７に記載のサーバにおいて、
前記情報コンテンツ再構成手段は、前記受信した電子メールの宛先が前記ユーザの情報コンテンツ内の情報を削除するための電子メールの送信先アドレスであるとき、該受信した電子メールの送信先アドレスに日付又は時間の情報が含まれていれば、該送信先アドレスに対応するユーザの情報コンテンツ内の該日付又は該時間に対応する情報を削除し、該受信した電子メールの送信先アドレスに日付又は時間の情報が含まれていなければ、該送信先アドレスに対応するユーザの情報コンテンツ内の直前に更新した情報を削除する
ことを特徴とするサーバ。
【請求項９】
電気通信網に接続されたサーバ上の情報コンテンツをユーザの端末から受信した電子メールを用いて更新する情報コンテンツ更新システムにおけるサーバであって、
前記ユーザの端末に対して、前記情報コンテンツに対応する電子メールの送信先アドレスを用いて電子メールを送信する電子メール送信手段と、
前記ユーザの端末から、電子メールを受信する電子メール受信手段と、
前記ユーザの端末から受信した電子メールを用いて、前記情報コンテンツを再構成する情報コンテンツ再構成手段と
を備え、
前記情報コンテンツ再構成手段は、
前記受信した電子メールの宛先が前記情報コンテンツに対応する送信先アドレスであるとき、該受信した電子メールの送信先アドレス及び該受信した電子メールに記述された内容を用いて、該送信先アドレスに対応する情報コンテンツを更新し、
前記受信した電子メールの宛先が前記情報コンテンツ内の情報を削除するための電子メールの送信先アドレスであるとき、該受信した電子メールの送信先アドレスに日付又は時間の情報が含まれていれば、該送信先アドレスに対応する情報コンテンツ内の該日付又は該時間に対応する情報を削除し、該受信した電子メールの送信先アドレスに日付又は時間の情報が含まれていなければ、該送信先アドレスに対応する情報コンテンツ内の直前に更新した情報を削除する
ことを特徴とするサーバ。
【請求項１０】
電気通信網に接続されたサーバ上の情報コンテンツをユーザの端末から受信した電子メールを用いて更新する情報コンテンツ更新システムにおけるサーバであって、
前記ユーザの端末に対して、前記ユーザに対応する電子メールの送信先アドレスを用いて電子メールを送信する電子メール送信手段と、
前記ユーザの端末から、電子メールを受信する電子メール受信手段と、
前記ユーザの端末から受信した電子メールを用いて、前記情報コンテンツを再構成する情報コンテンツ再構成手段と
を備え、
前記情報コンテンツ再構成手段は、
前記受信した電子メールの宛先が前記ユーザに対応する送信先アドレスであるとき、該受信した電子メールの送信先アドレス及び該受信した電子メールに記述された内容を用いて、該送信先アドレスに対応するユーザの情報コンテンツを更新し、
前記受信した電子メールの宛先が前記ユーザの情報コンテンツ内の情報を削除するための電子メールの送信先アドレスであるとき、該受信した電子メールの送信先アドレスに日付又は時間の情報が含まれていれば、該送信先アドレスに対応するユーザの情報コンテンツ内の該日付又は該時間に対応する情報を削除し、該受信した電子メールの送信先アドレスに日付又は時間の情報が含まれていなければ、該送信先アドレスに対応するユーザの情報コンテンツ内の直前に更新した情報を削除する
ことを特徴とするサーバ。
【発明の詳細な説明】
【０００１】
【発明の属する技術分野】
本発明は、電子メールを用いた情報コンテンツ更新に関するものであり、特に、定期的に自動配信されるメールに返信することで情報コンテンツを更新するシステムに関するものである。
【０００２】
【背景技術】
最近は、インターネット上のウェブサイトにおいてたくさんのサービスが行われている。個人の日記やさまざまな情報が、定期的に随時更新されてインターネット上において公開されている。
図１は従来からインターネット上に存在する、個人が日記などを公開しているサイトのページの一例を示した図であり、例えば図１（ａ）のように日記が公開されている。このページはウェブ・ページのタイトル１０２と、日記として各日にち毎に、タイトル１１２，１２２，１３２，１４２、日にち１１４，１２４，１３４，１４４、内容１１６，１２６，１３６，１４６のような構成になっている。このようなページを構成するには、ＨＴＭＬ等のページを構成する言語のソースをテキスト・エディタ等で記述・編集する。そして作成したソースファイルをＷＷＷサーバ上に置くことでインターネット上で公開することができる。
【０００３】
また、最近では図１（ｂ）のような書きこみフォームを用いることで、直接ＨＴＭＬ等のソースを編集しなくても、入力結果をＣＧＩにより処理を行うことによって、新しい日の日記を追加・編集することができるようになっている。たとえば図１（ｂ）の書き込みフォームは、書き込み時の日付１５０が表示されており、日記のタイトルを記述するテキストボックス１６０、日記の内容を記述するテキストボックス１６２、記述した内容を日記として登録する登録ボタン１７０、記述した内容をリセットするリセットボタン１８０等がある。これらを用いて日記の日付を指定し、タイトルと本文の記述を行ったあとに登録ボタン１７０を押すことにより、図１（ａ）の日記のページに反映され、テキストボックス１６０に記述したタイトルがタイトル１１２，１２２，１３２，１４２に、書き込み時の日付１５０が日にち１１４，１２４，１３４，１４４に、テキストボックス１６２に記述した内容が内容１１６，１２６，１３６，１４６に反映される。
【０００４】
ここで紹介したのは日記であるが、同様の方法を用いることにより、企業のプレスリリースや日報、ソフトウェアのバージョンアップ情報等をページ上にて公開したり、個人のみアクセスできるサービスにおいて小遣い帳、スケジュール管理、リマインダ等のサービスにも適用されている。
しかしながら、これらの情報の更新・追記作業を行うには制限が生じる。図１（ｂ）のような書き込みフォームを用いるには、そのページに接続できるネットワーク環境、表示・書き込みを行うことのできるパソコン等の端末やブラウザが必要である。ましてやＨＴＭＬソース等の編集を行うには、それ以外にアプリケーション・ソフトウェアが必要である。
また、定期的な更新・追記作業を行うために、書き込みフォームのページにアクセスできるパソコン等の端末を毎回用いて作業を行うのが面倒になり、作業を放棄し、更新や追記の跡が見られなくなったウェブサイトもまれに存在している。
【０００５】
【発明が解決しようとする課題】
本発明の目的は、電子メールを用いて手軽にウェブ・コンテンツを定期的に更新しやすくすることである。
【０００６】
【課題を解決するための手段】
上記目的を達成するために、本発明は、電気通信網に接続されたサーバ上の情報コンテンツをユーザの端末から受信した電子メールを用いて更新する情報コンテンツ更新システムにおけるサーバであって、前記ユーザの端末に対して、前記情報コンテンツに対応する電子メールの送信先アドレスを用いて電子メールを送信する電子メール送信手段と、前記ユーザの端末から、電子メールを受信する電子メール受信手段と、前記ユーザの端末から受信した電子メールを用いて、前記情報コンテンツを再構成する情報コンテンツ再構成手段とを備え、前記情報コンテンツ再構成手段は、前記受信した電子メールの宛先が前記情報コンテンツに対応する送信先アドレスであり、該受信した電子メールの送信先アドレスに日付又は時間の情報が含まれているとき、該受信した電子メールの送信先アドレス及び該受信した電子メールに記述された内容を用いて、該送信先アドレスに対応する情報コンテンツ内の該日付又は該時間に対応する情報を更新することを特徴とする。そのため、ユーザがその電子メールに返信するだけでウェブ・コンテンツを更新することができる。特に電子メールの送受信機能がついた携帯電話からなら、いつでもどこでも手軽に電子メールによりコンテンツを更新できる。
【０００７】
情報コンテンツの更新状況を監視し、一定期間に更新されていない情報コンテンツを見出す情報コンテンツ監視手段をさらに備え、前記電子メール送信手段は、前記一定期間に更新されていない情報コンテンツのユーザの端末に対して、電子メールを送信してもよい。これにより、ユーザにリマインドすることができ、１度忘れてしまうと長続きしないウェブ・コンテンツの更新作業を長続きさせることができる。
前記情報コンテンツは、ウェブ・ページであり、前記情報コンテンツ再構成手段は、前記受信した電子メールを用いて、前記送信先アドレスに対応するウェブ・ページを更新してもよい。
前記電子メール送信手段は、前記ユーザの端末に対して電子メールを送信するごとに、送信先アドレスを変更して生成してもよい。これにより、セキュリティーを高めることができるので、前記特定のユーザの知らないところで第三者に情報コンテンツを改変されにくくすることができる。
前記情報コンテンツ再構成手段は、前記受信した電子メールの宛先が前記情報コンテンツ内の情報を削除するための電子メールの送信先アドレスであるとき、該受信した電子メールの送信先アドレスに日付又は時間の情報が含まれていれば、該送信先アドレスに対応する情報コンテンツ内の該日付又は該時間に対応する情報を削除し、該受信した電子メールの送信先アドレスに日付又は時間の情報が含まれていなければ、該送信先アドレスに対応する情報コンテンツ内の直前に更新した情報を削除してもよい。
また、上記目的を達成するために、本発明は、電気通信網に接続されたサーバ上の情報コンテンツをユーザの端末から受信した電子メールを用いて更新する情報コンテンツ更新システムにおけるサーバであって、前記ユーザの端末に対して、前記ユーザに対応する電子メールの送信先アドレスを用いて電子メールを送信する電子メール送信手段と、前記ユーザの端末から、電子メールを受信する電子メール受信手段と、前記ユーザの端末から受信した電子メールを用いて、前記情報コンテンツを再構成する情報コンテンツ再構成手段とを備え、前記情報コンテンツ再構成手段は、前記受信した電子メールの宛先が前記ユーザに対応する送信先アドレスであり、該受信した電子メールの送信先アドレスに日付又は時間の情報が含まれているとき、該受信した電子メールの送信先アドレス及び該受信した電子メールに記述された内容を用いて、該送信先アドレスに対応するユーザの情報コンテンツ内の該日付又は該時間に対応する情報を更新することを特徴とする。
前記受信した電子メールの送信先アドレスと送信者のアドレスを照合することで、ユーザの特定を行うユーザ特定手段をさらに備え、前記情報コンテンツ再構成手段は、前記受信した電子メールを送信したユーザが特定できないとき、該受信した電子メールの送信先アドレスに対応するユーザの情報コンテンツを更新しなくてもよい。
前記情報コンテンツ再構成手段は、前記受信した電子メールの宛先が前記ユーザの情報コンテンツ内の情報を削除するための電子メールの送信先アドレスであるとき、該受信した電子メールの送信先アドレスに日付又は時間の情報が含まれていれば、該送信先アドレスに対応するユーザの情報コンテンツ内の該日付又は該時間に対応する情報を削除し、該受信した電子メールの送信先アドレスに日付又は時間の情報が含まれていなければ、該送信先アドレスに対応するユーザの情報コンテンツ内の直前に更新した情報を削除してもよい。
また、上記目的を達成するために、本発明は、電気通信網に接続されたサーバ上の情報コンテンツをユーザの端末から受信した電子メールを用いて更新する情報コンテンツ更新システムにおけるサーバであって、前記ユーザの端末に対して、前記情報コンテンツに対応する電子メールの送信先アドレスを用いて電子メールを送信する電子メール送信手段と、前記ユーザの端末から、電子メールを受信する電子メール受信手段と、前記ユーザの端末から受信した電子メールを用いて、前記情報コンテンツを再構成する情報コンテンツ再構成手段とを備え、前記情報コンテンツ再構成手段は、前記受信した電子メールの宛先が前記情報コンテンツに対応する送信先アドレスであるとき、該受信した電子メールの送信先アドレス及び該受信した電子メールに記述された内容を用いて、該送信先アドレスに対応する情報コンテンツを更新し、前記受信した電子メールの宛先が前記情報コンテンツ内の情報を削除するための電子メールの送信先アドレスであるとき、該受信した電子メールの送信先アドレスに日付又は時間の情報が含まれていれば、該送信先アドレスに対応する情報コンテンツ内の該日付又は該時間に対応する情報を削除し、該受信した電子メールの送信先アドレスに日付又は時間の情報が含まれていなければ、該送信先アドレスに対応する情報コンテンツ内の直前に更新した情報を削除することを特徴とする。
また、上記目的を達成するために、本発明は、電気通信網に接続されたサーバ上の情報コンテンツをユーザの端末から受信した電子メールを用いて更新する情報コンテンツ更新システムにおけるサーバであって、前記ユーザの端末に対して、前記ユーザに対応する電子メールの送信先アドレスを用いて電子メールを送信する電子メール送信手段と、前記ユーザの端末から、電子メールを受信する電子メール受信手段と、前記ユーザの端末から受信した電子メールを用いて、前記情報コンテンツを再構成する情報コンテンツ再構成手段とを備え、前記情報コンテンツ再構成手段は、前記受信した電子メールの宛先が前記ユーザに対応する送信先アドレスであるとき、該受信した電子メールの送信先アドレス及び該受信した電子メールに記述された内容を用いて、該送信先アドレスに対応するユーザの情報コンテンツを更新し、前記受信した電子メールの宛先が前記ユーザの情報コンテンツ内の情報を削除するための電子メールの送信先アドレスであるとき、該受信した電子メールの送信先アドレスに日付又は時間の情報が含まれていれば、該送信先アドレスに対応するユーザの情報コンテンツ内の該日付又は該時間に対応する情報を削除し、該受信した電子メールの送信先アドレスに日付又は時間の情報が含まれていなければ、該送信先アドレスに対応するユーザの情報コンテンツ内の直前に更新した情報を削除することを特徴とする。
【０００８】
【発明の実施の形態】
図２は本発明のシステムを実施するための、サーバと電子メールの送受信ができる各端末をインターネットで接続した構成例を示した図である。この図２の構成例では、インターネット４０にＨＴＴＰやメールのデーモンのプログラム等が走っているサーバ１０やパソコンなどの端末２２，２４に接続されている。また、携帯電話２６，２８は無線で基地局３２，３４と通信し、基地局３２，３４から有線で交換機（図示せず）に接続している携帯電話通信網３０に接続されている。この携帯電話通信網３０とインターネット４０とはゲートウェイ３５を通して結ばれており、電子メールの送受信機能を持つ携帯電話２６，２８はインターネット４０を介した電子メールのやり取りが可能となっている。
このシステムは、サーバ１０上に存在するウェブ・コンテンツを更新するユーザに対し、サーバ１０より電子メールを定期的に配信する。ユーザが電子メールを受信する端末は限定されず、図２で例えるならばパソコン等の端末２２，２４、携帯電話２６，２８のどれを用いてもよい。ユーザが配信されたメールに更新の内容を記述してサーバ１０に返信することによりウェブ・コンテンツを更新するシステムである。
【０００９】
＜更新処理＞
このような構成のシステムにおいて、ユーザが公開しているウェブ・コンテンツである例えば、図１（ａ）に示す日記のページを更新する場合を例に、図３〜図５を参照して以下に詳細に説明する。なお、これらの図では、ユーザのメールアドレスを「******@XXX.XXX.ne.jp」、ユーザのウェブ・コンテンツを更新するための電子メールの送信先アドレス（サーバ１０上に存在する）を「#####@OOO.OOO.co.jp」として示している。
【００１０】
図３はサーバ１０より、ウエブ・コンテンツを更新するために、ウエブ・ページごとに定められたユーザに対して送信されたメールの例を示した図である。宛先３３０にはユーザの電子メールアドレス、件名３１０にはメールの件名としてユーザにわかりやすいように、更新の対象になるウェブ・ページのタイトルとこのウェブ・ページの日記の日付が記されている。通常、送信者３２０にはメールの送信者が表示されるが、本発明ではユーザがサーバ１０上のウェブ・コンテンツを更新するための電子メールの送信先が記される。これはほとんどの電子メールを送受信するメーラは、受信したメールに対して返信する機能を持っており、その際には返信するメールの宛先に受信した電子メールの送信者を引用するようになっている。そこで、この機能を利用してユーザの便宜をはかれるように、サーバ１０はウェブ・コンテンツを更新する電子メールの送信先アドレスを送信者として挿入し、ユーザに電子メールを送信している。メールの内容３４０には、ユーザに対しての説明書きが記述してある。サーバ１０は上述の図３に示した電子メールをユーザに対し、例えば毎日一定の時刻に定期的に送信する。
上述の例では、サーバ１０がユーザに電子メールを送る時期は定期的としているが、送信される電子メールはユーザに対してリマインダの役目にもなっているので、サーバ１０がユーザのウェブサイトの更新状況を監視し、一定期間に更新されていないようだったら、そのユーザに対してサーバ１０がメールを送信してもよい。また、ユーザがこの電子メールの送信時期を自由に設定できるようにすることもできる。そして、電子メール中のユーザに対する説明書きも省略することもできる。
【００１１】
図３に示したメールを受信したユーザは、受信した端末のメーラの返信機能を用いて図３に示した電子メールに返信する。図４はユーザがサーバ１０に返信するメールの例を示した図である。件名４１０には図３の電子メールの件名「12日(木):僕の日記」の頭に、メーラにより「Re:」が付いた文字が記述されている。宛先４２０にはウェブ・コンテンツを更新する電子メールの送信先アドレスが記入してある。返信の機能が使えない場合は、ユーザ自身がこのアドレスを記入することになる。電子メールの内容４３０には更新する内容を記述する。
ユーザは電子メールの内容４３０として図４のように記述したとする。この例ではユーザが記述した内容の１行目を日記のタイトル、２行目以降を本文とするように設定している。そしてユーザがこの図４に示した電子メールをサーバ１０に送信する。
【００１２】
サーバ１０は図４の電子メールを受信すると、その電子メールの解析を行う。受信したメールの送信者のアドレス「******@XXX.XXX.ne.jp」と送信先アドレス「#####@OOO.OOO.co.jp」を照合し、サーバ１０はユーザの特定を行う。特定できない場合は以後の処理を中止するなどして対処する。
次にウェブ・コンテンツを更新する処理を行う。メールの内容４３０の中から、ユーザが記述した文字を拾い出し、日記のページを記述しているＨＴＭＬ等の形式に変換し、その更新する情報をユーザのウェブ・コンテンツである日記のページのあらかじめ決めておいた特定の箇所に追加して掲載する。この図４の例では、メールの内容４３０中の１行目に書いた文字列を日記のタイトル、２行目以降に書いた文字列を日記の本文とし、サーバが日記の日付を付け加え、ユーザのウェブ・コンテンツである日記のページの一部にするために、日記のページを記述しているＨＴＭＬ等の形式に変換する。日記のページの内容は、上から新しい順に並べてあり、図４に記載されている内容を一番新しい日記として上部に追加して更新する。こうしてユーザの日記のページの更新作業は完了する。
このように、メールの形式には一定の規則を設け、定型的な変換処理を行うことにより、ページ上に特定の形態で表示することができる。
図５はサーバ１０による日記の更新の処理を終え、図１の日記に新たな日記が追記されて、更新したページを示した図である。日記の新たに追加された部分として、図４のメールの内容４３０にユーザが記述した内容は、日記のタイトル５０２、日記の本文５０６となっている。また日記の日付５０４には書き込み時の日付をサーバ１０が自動的に入れている。
【００１３】
このように、サーバがユーザに対して定期的に電子メールを送り、そのメールにユーザが返信するだけでウェブ・コンテンツを更新することができる。また、サーバより定期的にメールを送信しユーザにリマインドさせることで、忘れがちで、長続きしないウェブ・コンテンツの更新作業を長続きさせることができる。特に携帯電話からいつでもどこでも手軽にメールでコンテンツを更新できるメリットは大きい。
【００１４】
＜ウェブ・コンテンツに対応するアドレスについて＞
上述では、サーバ１０よりユーザに対して配信するメールの返信先アドレス、つまり、ウェブ・コンテンツを更新するための電子メールの送信先アドレスは、ユーザが更新しようとするウェブ・コンテンツのページに対応した固定のアドレスであるとして説明した。この場合、ユーザはそのアドレスを第三者に洩らさないのが必須であるが、洩れた場合はユーザの知らないところで第三者にウェブ・コンテンツを改変されてしまう恐れがある。このために、ウェブ・コンテンツを更新するための、電子メールの送信先アドレスを、電子メールを送信するごとに変更することで、セキュリティを高めることができる。
具体的には、サーバ１０がユーザに対して図３の電子メールを送信するときに、サーバ１０はこの時点で送信先のアドレスを生成し、用意する。サーバ１０が用意するアドレスとは、例えば、送信先アドレス「#####@OOO.OOO.co.jp」の「#####」の箇所を変更したアドレスである。このアドレスは、いろいろな手法で生成することができる。
１つの例として、ランダムに決めた文字列を用いるとする。このとき生成したアドレスを、サーバ１０はユーザが更新しようとするウェブ・コンテンツと関連付けて記憶し、生成したアドレスを用いてユーザに電子メールを送信する。ウエブ・ページに対応したユーザが返信してきた図４のような電子メールをサーバ１０が受信したとき、メールの送信者と、そのメールの送信先である、サーバ１０が電子メールを送信するごとに生成される、電子メールの送信先アドレスとを照合する。ここでウェブ・コンテンツを更新しようとするユーザ本人と確認されれば、メールの内容によりウェブ・コンテンツを更新する。
【００１５】
アドレスを生成する他の例として、あらかじめユーザに割り振っているＩＤを用いる方法もある。例えば、ユーザのＩＤとユーザが設定したパスワードを組み合わせた文字列を、ウェブ・コンテンツを更新するための電子メールの送信先アドレスにする。具体的なアドレスの例を挙げると、ユーザのＩＤが「１００５」とする。そしてユーザはパスワードを「ａｂｃｄ」と決め、設定するパスワードをサーバ１０に登録する。このようにして、このユーザのウェブ・コンテンツを更新するための電子メールの送信先アドレスは「1005abcd@OOO.OOO.co.jp」となる。このようなパスワードをアドレスに埋め込むことにより、第三者によるなりすましを防ぐことができる。
また、日付や時間の情報を埋めこんだアドレスを用いることもできる。サーバ１０はこの日付や時間の情報を用いてコンテンツの更新をすることになる。具体的なアドレスの例を示すと、ＩＤが「１００５」、パスワードが「ａｂｃｄ」として、２０００年１２月１０日の日記の更新を行いたい場合、ユーザのウェブ・コンテンツを更新するための電子メールの送信先アドレスは「0012101005abcd@OOO.OOO.co.jp」のようになる。このようにすることで、別の日に返信したとしても、指定した日の日記として扱うことができる。
その他、ユーザが任意に設定した文字列などを用いることもできる。
また、ウェブ・コンテンツを更新するための電子メールの送信先アドレスとは別に、ウェブ・コンテンツ内の情報を削除するための、専用の電子メールの送信先アドレスを用意しておくこともできる。例えば、この送信先のアドレスに日付や時間の情報を埋めこんでおくことにより、サーバ１０はその情報に該当するコンテンツ内の情報を削除することができる。さらに、日付や時間の情報を埋めこまない場合は、直前に更新した情報の削除とすることもできる。
【００１６】
＜更新の限定＞
ユーザがウェブ・コンテンツを更新する電子メールの送信先アドレスに何度もメールを送信したときの処理については、サーバ１０の設定により変更することができる。例えばサーバ１０は、日付や時間の情報が含まれているメールを受けたとき、その日付や時間に対応した情報がなければ、更新情報としてメールの内容をそのまま用いる。既に日付や時間に対応した情報があった場合には、設定しだいで、電子メールの内容を既に存在する情報に追記をしたり、または、現在ある情報と置き換えたりすることができる。なお、受け取った電子メールを無効とし、追記も更新も行わない設定もできる。さらに、電子メールに日付や時間の情報が埋めこまれていない場合は、当日の日付とみなす設定にもできるし、受け取った電子メールを無効として追記も更新も行わない設定にもできる。
【００１７】
＜ウェブ・コンテンツを更新する電子メールの内容＞
上述の通り、内容は更新しようとするウェブ・コンテンツの情報となるが、メールの内容に特定の文字や記号のタグを用いて、ページの更新のためのコントロール情報にしてもよい。このコントロール情報というのは、文字の大きさや色などのページの装飾の情報や、コンテンツ内の情報の削除や訂正を行うために、あらかじめ決めてあるコントロール・タグ等である。
【００１８】
＜応用例＞
以上の説明では主にユーザのウェブ・コンテンツとして日記のページを更新する例であったが、同様の方法を用いることにより、企業のプレスリリースや日報、ソフトウェアのバージョンアップ情報等をページ上にて公開したり、個人のみアクセスできるサービスにおいて小遣い帳、スケジュール管理、リマインダー等のサービスにも適用できる。また、ユーザを複数集めて１グループとし、ユーザに対して送信する図３のようなメールを、サーバがグループ内のユーザに順番あるいはランダムに送信することで、グループ内の日誌のように応用することができる。
【００１９】
【発明の効果】
本発明により、電子メールを用いてウェブ・コンテンツを定期的に手軽に更新しやすくすることができる。
【図面の簡単な説明】
【図１】  従来のインターネット上に存在するサイトのページの一例を示した図である。
【図２】  本発明のシステムを実施するための構成例を示した図である。
【図３】  サーバよりユーザに対して送信されたメールを示した図である。
【図４】  ユーザがサーバに返信するメールを示した図である。
【図５】  図１の日記に新たな日記が追記されたページを示した図である。
【符号の説明】
１０            サーバ
２２，２４        端末
２６，２８        携帯電話
３０            携帯電話通信網
３２，３４        基地局
３５            ゲートウェイ
４０            インターネット
【図１】
0004190143.tif 000002
【図２】
0004190143.tif 000003
【図３】
0004190143.tif 000004
【図４】
0004190143.tif 000005
【図５】
0004190143.tif 000006